(57)【特許請求の範囲】
【請求項１】
ベルトコンベア（１）によって送り方向に連続して個別に運ばれる平坦な物体（２）を、前記ベルトコンベアよりも遅い微速前進コンベア上に、前記ベルトコンベアと前記微速前進コンベアの速度差によって、重なりあった形態で堆積させる装置であって、
堆積された前記物体上に上から載る減速ユニットを備え、
前記減速ユニットは、連続ベルト（４）のグループと、前記連続ベルトが前記送り方向に互いに平行に巻掛けられる複数の偏向ロール（５）とを有し、前記連続ベルトのグループは、前記微速前進コンベア（３）と同一の速度で駆動され、前記連続ベルトのグループの最下部は、揺動レバー（８）に取付けられたホイールないしロール（７）の手段によって前記平坦な物体の重なり部に押しつけられ、前記連続ベルトと前記平坦な物体の重なり部の間にくさび形スリットが形成され、
前記連続ベルト（４）のグループは、前記ベルトコンベア（１）から投げ渡される平坦な物体（２）が前記ホイールないしロール（７）に達する前に前記連続ベルト（４）のグループによって減速されるように、前記ベルトコンベアと前記微速前進コンベアとの間の箇所の上に延びることを特徴とする装置。
【請求項２】
前記連続ベルト（４）は弾性材料でできていることを特徴とする請求項１に記載の装置。
【請求項３】
前記揺動レバー（８）の位置は、前記送り方向及びそれと逆の方向に調節可能になっていることを特徴とする請求項１又は２に記載の装置。
【請求項４】
前記微速前進コンベアは、前記ベルトコンベアに対して前記送り方向に上向きに傾斜したコンベアベルト（３）からなることを特徴とする請求項１乃至３のいずれか１項記載の装置。
【発明の詳細な説明】
【０００１】
【発明の属する技術分野】
本発明は、好ましくは紙チューブセグメント、袋ワークピース、又は袋である、連続して個別に運ばれる平坦な物体を、重なりあった形態で微速前進コンベア上に堆積させる装置であって、堆積された物体上に上から載る減速ユニットを用いたものに関する。
【０００２】
【従来の技術】
このタイプの装置は様々な態様のものが存在する。それらは比較的高速で供給される物体を、微速前進コンベア上に同一の重なりあい長さで互いに真っ直ぐに向けて、ねじれたり潰れたり曲ったりして損傷することなく堆積させるために減速させることについて問題点を有している。
【０００３】
図１は、上述したタイプの公知の装置を模式的に示した図である。この公知の装置では、チューブセグメント２は間隔を隔てられてベルトコンベア１により比較的高い速度ｖ１で運ばれて、続く上向きに傾斜したより低い速度ｖ２で回転するベルトコンベア上に投げ渡されるが、供給されたチューブセグメントは重なった形態を呈してその形態で連続的に前に送られるように減速される。図示のような重なった形態に堆積させるのを容易にするため、いくつかの揺動ロッド４と枢着されたレバー５に枢着されたロール６とが設けられ、ロール６はワークピースで形成されている重なりの形態に載っているロッド４と係合する。ここで、揺動ロッド４は供給されたワークピース２を案内するために主として働き、さらにそれらを減速する。しかしながら、主たるブレーキ機能は、ブレーキロールとしてデザインされたロールないしホイール６による。ロッド４と揺動レバー５とは、ジョイント９，１０の手段によって、スリーブないし摺動キャリッジ７，８に取付けられており、キャリッジ７，８はマシンフレームのガイドロッド１１上を摺動できるようになっており、所定位置に固定されるようにセットポジションに案内することができる。ガイドロッド１１上でスリーブ７，８を調整することで、ロッド４とブレーキホイール６は堆積するワークピースのそれぞれの長さに対して調節される。ロッド４と係合するブレーキホイール６はブレーキロッドに比べて少ない数で設けることができる。この公知の装置では、ロッド４とブレーキホイール６とを堆積するワークピースの形状に対して変位及び調節するのが難しいだけでなく、ワークピース２がロッド４に衝突した後、ワークピース２が曲ったりあるいは皺になった先端が直立したときには装置が作動しなくなり、それゆえ、ワークピースはロッド４で妨げられて、斜めになって、乱れてパイルアップする。
【０００４】
【発明が解決しようとする課題】
従って、本発明の目的は、ワークピースの変更した形状に容易に調節することができて、ワークピースの堆積フェーズ中に確実に乱れを防止することができる前述したタイプの装置を提供することにある。
【０００５】
【課題を解決するための手段】
本発明は上記課題を解決するために、減速ユニットは、偏向ロールに巻掛けられて互いに平行に回転するバンドないしベルトのグループであって、前進コンベアと同一の速度で駆動され、揺動レバーに取付けられたホイールないしロールの手段によってワークピースで形成される重なりに押しつけられるものを備える。
【０００６】
本発明による装置では、駆動される減速ベルトを設けることにより、堆積する物体が傾いたり衝突したりゆがんだりするのを阻止し、重なりの上に載っているベルトが前進コンベアと共にツインベルトコンベアのような相互作用をするために、ワークピースの前方への積上げは起りそうになく、重なりに不適当に堆積され又は曲げられて損傷したものをエラー領域に引出す。
【０００７】
ベルトは弾性材料で作るのが好ましい。ベルトをゴムまたは他のエラストマー材料で作れば、オフセットしてスタックされる物体はより穏やかに減速されて堆積される。
ベルトを押下げるロールないしホイールが変更した形状に容易に合わせて調節できるように、揺動レバーは送り方向に及び送りと逆の方向に調節できるようにするのが好ましい。
前進コンベアは上向きに傾斜したコンベアベルトからなるのが好ましい。
【０００８】
【発明の実施の形態】
以下、本発明の実施形態について図２を参照して詳細に説明する。図は本発明による装置を模式的に示した側面図である。
【０００９】
平坦なワークピース２は、ベルトコンベア１により高い速度ｖ１にて供給され、図１において説明したように、上向きに傾斜したベルトコンベア３に投げ渡されて、図示のように重なりあった形態となり、前記コンベアで低い速度ｖ２で前に送られる。
【００１０】
前進ベルトコンベア３の上には平行な連続ベルト４のグループがあり、偏向ロール５に巻掛けられて案内され、ロール５のひとつが駆動されて、それが連続ベルト４のグループを前進コンベアベルト３の速度ｖ２にて駆動する。連続ベルト４の最下部のストランド６は、レバー８の端部に回転自由に取付けられたホイールないしロール７に巻掛けられている。前記レバーはジョイント９の手段によってキャリッジないしパイプセグメント１０に結合されており、同セグメントはガイドロッド１１上を矢印Ａの方向に摺動することができ、様々なセットポジションに固定することができる。ガイドロッド１１はマシンフレームに固定されているが、マシンフレームは図を見やすくするために示していない。
【００１１】
揺動レバー８に枢着されたロール７は、その自重によって、連続ベルト４の最下部のストランド６をコンベアベルト３上に形成されるワークピースの重なりに押しつける。ここで、揺動レバー８を支持するパイプピース１０は、連続ベルトの最下部のストランド６の領域で、ロール７が自己形成するワークピースの重なりに載り、堆積されるワークピースの先端が重なりあった位置をしめるように調節される。
【００１２】
堆積するワークピース２が短いか長いかに応じて、パイプ１０はガイドロッド１１上を左方または右方へ摺動される。
ワークピースの重なりを形成するため、少なくとも２本の回転ベルト４と２つのロール７とがあり、最下部のストランド６を自己形成される重なりに押圧する。
【００１３】
本発明による装置では、ワークピース２が穏やかに、位置について正確に、図示の重なった形態に損傷させずに堆積できるようにするが、これは前記ワークピースが自己形成された重なりと回転ベルト４の最下部のストランド６との間のくさび形のスリットで穏やかに減速されるからである。最下部のストランド６は前進コンベアベルト３といっしょになってツインベルトコンベアを形成するので、パイルアップが起ったりワークピースが斜めに堆積したような例外的な場合でも、重なりは前に送られる。
【図面の簡単な説明】
【図１】従来技術による装置を模式的に示す側面図である。
【図２】本発明の実施形態による装置を模式的に示す側面図である。
【符号の説明】
１  ベルトコンベア
２  ワークピース
３  前進ベルトコンベア
４  連続ベルト
５  偏向ロール
６  ストランド
７  ロール
８  レバー
９  ジョイント
１０  パイプセグメント
１１  ガイドロッド
【図１】
0004871439.tif 000002
【図２】
0004871439.tif 000003